(57)【要約】      （修正有）【課題】小型で、マスターレンズの像側に配置されたときに高い光学性能を有するコンバーターレンズを提供する。【解決手段】負の屈折力を有し、マスターレンズＭＬの像側に配置されることで、全系の焦点距離をマスターレンズＭＬ単独の焦点距離よりも長くするコンバーターレンズＲＣＬであって、コンバーターレンズＲＣＬが有する負レンズの材料の、ｄ線における屈折率Ｎｄ、ｄ線を基準としたアッベ数νｄが、以下の条件式を満たす。２．２０＜Ｎｄ＜２．３７、１３．００＜νｄ＜２３．００【選択図】図１
2020201295.tif 000002
【特許請求の範囲】
【請求項１】
負の屈折力を有し、マスターレンズの像側に配置されることで、全系の焦点距離を前記マスターレンズ単独の焦点距離よりも長くするコンバーターレンズであって、
材料のｄ線における屈折率をＮｄ、ｄ線を基準としたアッベ数をνｄとするとき、
２．２０＜Ｎｄ＜２．３７
１３．００＜νｄ＜２３．００
なる条件式を満たす負レンズを有することを特徴とするコンバーターレンズ。
【請求項２】
前記負レンズの材料のＦ線、Ｃ線、ｇ線における屈折率をＮＦ、ＮＣ、Ｎｇとして、前記負レンズの材料の部分分散比θｇＦを
θｇＦ＝（Ｎｇ−ＮＦ）／（ＮＦ−ＮＣ）
と表すとき、
０．０１７＜θｇＦ−０．６４３８＋０．００１６８２×νｄ＜０．０４０
なる条件式を満たすことを特徴とする請求項１に記載のコンバーターレンズ。
【請求項３】
前記コンバーターレンズの焦点距離をｆ、前記負レンズの焦点距離をｆｎとするとき、
０．２５＜ｆｎ／ｆ＜１．００
なる条件式を満たすことを特徴とする請求項１または２に記載のコンバーターレンズ。
【請求項４】
前記コンバーターレンズに含まれる全ての負レンズの材料のｄ線における平均屈折率をＮｄ＿ａｖｅとするとき、
１．８０＜Ｎｄ＿ａｖｅ＜２．００
なる条件式を満たすことを特徴とする請求項１乃至３のいずれか１項に記載のコンバーターレンズ。
【請求項５】
前記コンバーターレンズはＮ枚（Ｎ≧１）のレンズからなり、
前記コンバーターレンズの、物体側から数えてｉ番目（ｉ＝１〜Ｎ）のレンズの焦点距離をｆｉ、前記コンバーターレンズの、物体側から数えてｉ番目（ｉ＝１〜Ｎ）のレンズのｄ線を基準としたアッベ数をνｄｉとするとき、
【数１】
2020201295.tif 000007
なる条件式を満たすことを特徴とする請求項１乃至４のいずれか１項に記載のコンバーターレンズ。
【請求項６】
前記コンバーターレンズの最も物体側の面から最も像側の面までの光軸上の距離をＴＬ、前記コンバーターレンズの最も物体側の面から前記負レンズの物体側の面までの光軸上の距離をＤｎとするとき、
０．５０＜Ｄｎ／ＴＬ＜０．９８
なる条件式を満たすことを特徴とする請求項１乃至５のいずれか１項に記載のコンバーターレンズ。
【請求項７】
前記コンバーターレンズの最も物体側に配置された、正レンズと負レンズからなる接合レンズを有することを特徴とする請求項１乃至６のいずれか１項に記載のコンバーレンズ。
【請求項８】
前記コンバーターレンズは複数の正レンズと複数の負レンズからなり、
正レンズと負レンズが光軸上で交互に配置されていることを特徴とする請求項１乃至７のいずれか１項に記載のコンバーターレンズ。
【請求項９】
前記コンバーターレンズの最も像側に配置された、正の屈折力を有するレンズ要素を有することを特徴とする請求項１乃至８のいずれか１項に記載のコンバーターレンズ。
【請求項１０】
マスターレンズと、請求項１乃至９のいずれか１項に記載のコンバーターレンズを有することを特徴とする交換レンズ。
【請求項１１】
マスターレンズと、
請求項１乃至１０のいずれか１項に記載のコンバーターレンズと、
該コンバーターレンズによって形成された像を受光する撮像素子を有することを特徴とする撮像装置。
【発明の詳細な説明】
【技術分野】
【０００１】
本発明は、コンバーターレンズ、交換レンズ、及び撮像装置に関する。
【背景技術】
【０００２】
撮像装置とマスターレンズを含む交換レンズとの間に配置されることにより、全系の焦点距離を長くすることが可能なリアコンバーターレンズが知られている。このようなリアコンバーターレンズは負の屈折力を有するため、当該リアコンバーターレンズのペッツバール和は負の方向に大きくなりやすい。よって、マスターレンズの像側に配置されたときに像面湾曲が大きくなりやすくなる。また、リアコンバーターレンズ内には開口絞りを配置せず、代わりにマスターレンズに含まれる開口絞りを用いることが多いため、リアコンバーターレンズ内では軸外光束の主光線は光軸と交差することなく光軸から径方向に離れた位置を通過する。これにより、像面湾曲が大きくなりやすくなり、かつ、軸外光束に起因する倍率色収差等の収差を補正することが困難になりやすい。
【０００３】
特許文献１には、負レンズにおいて高い部分分散比を有する材料を用いたリアコンバーターレンズが記載されている。
【先行技術文献】
【特許文献】
【０００４】
【特許文献１】特開２０１１−１２３３３６号公報
【発明の概要】
【発明が解決しようとする課題】
【０００５】
リアコンバーターレンズにおいて高い光学性能を得るためには、負レンズの材料の屈折率やアッベ数等をより適切に定めることが重要となる。
【０００６】
本発明はこのような課題に鑑みなされたものであり、マスターレンズの像側に配置されたときに高い光学性能を有するコンバーターレンズを提供することを目的とする。
【課題を解決するための手段】
【０００７】
本発明の一実施例に係るコンバーターレンズは、負の屈折力を有し、マスターレンズの像側に配置されることで、全系の焦点距離を前記マスターレンズ単独の焦点距離よりも長くするコンバーターレンズであって、
材料のｄ線における屈折率をＮｄ、ｄ線を基準としたアッベ数をνｄとするとき、
２．２０＜Ｎｄ＜２．３７
１３．００＜νｄ＜２３．００
なる条件式を満たす負レンズを有することを特徴とする。
【発明の効果】
【０００８】
本発明によれば、マスターレンズの像側に配置されたときに高い光学性能を有するコンバーターレンズを得ることができる。
【図面の簡単な説明】
【０００９】
【図１】マスターレンズとコンバーターレンズの断面図である。
【図２】実施例１のコンバーターレンズの断面図である。
【図３】実施例１のコンバーターレンズをマスターレンズの像側に配置したときの無限遠物体に合焦時の収差図である。
【図４】実施例２のコンバーターレンズの断面図である。
【図５】実施例２のコンバーターレンズをマスターレンズの像側に配置したときの無限遠物体に合焦時の収差図である。
【図６】実施例３のコンバーターレンズの断面図である。
【図７】実施例３のコンバーターレンズをマスターレンズの像側に配置したときの無限遠物体に合焦時の収差図である。
【図８】撮像装置の構成を示す図である。
【発明を実施するための形態】
【００１０】
以下、本発明の実施例に係るリアコンバーターレンズ（以下、コンバーターレンズという）及び撮像装置について、添付の図面に基づいて詳細に説明する。
【００１１】
図１に示すように、本発明の実施例のコンバーターレンズＲＣＬは、交換レンズ等のマスターレンズＭＬ（主レンズ系）の像側に配置される。これにより、マスターレンズＭＬとコンバーターレンズＲＣＬからなる撮影光学系（全系）の焦点距離を、マスターレンズＭＬのみを撮影光学系とした場合よりも焦点距離を長くする。
【００１２】
なお、マスターレンズＭＬは、デジタルビデオカメラ、デジタルカメラ、銀塩フィルムカメラ、ＴＶカメラなどの撮像装置に用いられる撮影レンズ系である。
【００１３】
図１に示すマスターレンズＭＬの断面図、および図２、４、６に示すコンバーターレンズＲＣＬの断面図において、左方が物体側（前方）であり、右方が像側（後方）である。開口絞りＳＰは開放Ｆナンバー（Ｆｎｏ）の光束を決定（制限）する。取り付け位置ＭＮＴにおいて、マスターレンズＭＬを含む鏡筒にコンバーターレンズＲＣＬを含む鏡筒が取り付けられる。
【００１４】
撮像装置がデジタルビデオカメラやデジタルカメラなどである場合は、像面ＩＰは、ＣＣＤセンサまたはＣＭＯＳセンサ等の撮像素子（光電変換素子）の撮像面に相当する。撮像装置が銀塩フィルムカメラである場合は、像面ＩＰはフィルム面に相当する。
【００１５】
図３、５、７は、後述の各実施例のコンバーターレンズＲＣＬの収差図である。球面収差図において、実線はｄ線、二点鎖線はｇ線について示している。非点収差図において破線Ｍはメリディオナル像面における収差量、実線Ｓはサジタル像面における収差量を示している。歪曲収差はｄ線について示している。倍率色収差はｇ線について示している。ωは半画角（度）である。ＦｎｏはＦナンバーである。
【００１６】
実施例に係るコンバーターレンズＲＣＬは、負の屈折力を有し、マスターレンズの像側に配置されることで、全系の焦点距離を前記マスターレンズ単独の焦点距離よりも長くする。
【００１７】
コンバーターレンズＲＣＬは、比較的、高屈折率かつ高部分分散の材料からなる負レンズＬｎを有する。具体的には、負レンズＬｎのｄ線（５８７．５６ｎｍ）における屈折率をＮｄ、ｄ線を基準としたアッベ数をνｄとするとき、以下の条件式（１）、（２）を満たす。
２．２０＜Ｎｄ＜２．３７                  ・・・（１）
１３．００＜νｄ＜２３．００              ・・・（２）
【００１８】
ただし、アッベ数νｄはｄ線、Ｆ線（４８６．１３ｎｍ）、Ｃ線（６５６．２７ｎｍ）、における屈折率をそれぞれＮｄ、ＮＦ、ＮＣとするとき、
νｄ＝（Ｎｄ−１）／（ＮＦ−ＮＣ）
と表される。
【００１９】
条件式（１）は負レンズＬｎの材料の屈折率に関し、この条件式を満たすことによって像面湾曲を良好に補正することができる。条件式（１）の下限値を下回ると、ペッツバール和が負の方向に大きくなり（ペッツバール和の絶対値が大きくなり）、像面湾曲が悪化するため好ましくない。条件式（１）の上限値を上回る屈折率の材料を製造することは困難であり、製造できる場合であっても量産することが困難であるため好ましくない。
【００２０】
条件式（２）は負レンズＬｎの材料のアッベ数に関し、この条件式を満たすことによって軸上色収差および倍率色収差を良好に補正することができる。なお、以下の説明において軸上色収差と倍率色収差を特に区別しない場合は、単に「色収差」という。条件式（２）の下限値を下回ってアッベ数が小さくなると、色収差が過補正となるため好ましくない。条件式（２）の上限値を上回ると、色収差が補正不足となるため好ましくない。
【００２１】
このように、条件式（１）、（２）を満たす負レンズＬｎを有することによって、コンバーターレンズＲＣＬは、マスターレンズＭＬの像側に配置されたときに高い光学性能を有することができる。
【００２２】
条件式（１）、（２）の数値範囲を以下のようにすることが好ましい。
２．２２＜Ｎｄ＜２．３５                    ・・・（１ａ）
１５．００＜νｄ＜２２．００                ・・・（２ａ）
【００２３】
条件式（１）、（２）の数値範囲を以下のようにすることがさらに好ましい。
２．２３＜Ｎｄ＜２．３４                    ・・・（１ｂ）
１６．００＜νｄ＜２１．００                ・・・（２ｂ）
【００２４】
前述の特許文献１のように負レンズに高い部分分散比の材料を用いることで像面湾曲を補正することは可能である。しかし、特許文献１のリアコンバーターレンズにおいて、軸上色収差と倍率色収差をさらにバランス良く補正するには、負レンズの材料の部分分散比を適切に設定することが重要となる。
【００２５】
そこで、コンバーターレンズＲＣＬにおいて、負レンズＬｎの材料の部分分散比θｇＦに関して条件式（３）を満たすことが好ましい。
０．０１７＜θｇＦ−０．６４３８＋０．００１６８２×νｄ＜０．０４０
・・・（３）
【００２６】
ここで、θｇＦは、負レンズＬｎの材料のＦ線（４８６．１３ｎｍ）、Ｃ線（６５６．２７ｎｍ）、ｇ線（４３５．８４ｎｍ）における屈折率をＮＦ、ＮＣ、Ｎｇとして、
θｇＦ＝（Ｎｇ−ＮＦ）／（ＮＦ−ＮＣ）
と表される。
【００２７】
条件式（３）は負レンズＬｎの部分分散比に関し、二次スペクトルを良好に補正し、軸上色収差および倍率色収差をバランス良く補正することができる。条件式（３）の下限値を下回ると、負レンズＬｎの異常分散性が小さくなりすぎて、倍率色収差の補正が不足するため好ましくない。条件式（３）の上限値を上回ると、負レンズＬｎの異常分散性が大きくなりすぎて、軸上色収差が過補正になるため好ましくない。
【００２８】
さらに、部分分散比が適切に設定され色収差を補正しやすくなることにより、コンバーターレンズＲＣＬの全系の屈折力を強くしやすくなる。これにより、コンバーターレンズＲＣＬの小型化に有利となる。
【００２９】
さらに、コンバーターレンズＲＣＬが、以下の条件式（４）〜（７）のうち１以上を満たすことが好ましい。
０．２５＜ｆｎ／ｆ＜１．００                ・・・（４）
１．８０＜Ｎｄ＿ａｖｅ＜２．００            ・・・（５）
【００３０】
【数１】
2020201295.tif 000003
【００３１】
０．５０＜Ｄｎ／ＴＬ＜０．９８              ・・・（７）
【００３２】
コンバーターレンズＲＣＬの焦点距離をｆ、負レンズＬｎの焦点距離をｆｎとする。コンバーターレンズＲＣＬに含まれる全ての負レンズの材料のｄ線における平均屈折率をＮｄ＿ａｖｅとする。コンバーターレンズＲＣＬがＮ枚のレンズからなるとき、コンバーターレンズＲＣＬの、物体側から数えてｉ番目（ｉ＝１〜Ｎ）のレンズの焦点距離をｆｉ、物体側から数えてｉ番目（ｉ＝１〜Ｎ）のレンズのｄ線を基準としたアッベ数をνｄｉとする。コンバーターレンズＲＣＬの最も物体側の面から最も像側の面までの光軸上の距離をＴＬ、コンバーターレンズＲＣＬの最も物体側の面から負レンズＬｎの物体側の面までの光軸上の距離をＤｎとする。
【００３３】
条件式（４）は負レンズＬｎの焦点距離とコンバーターレンズＲＣＬの焦点距離を規定したものであり、この条件式を満たすことによって高い光学性能と全系の小型化との両立を図ることができる。条件式（４）の下限値を下回って、負レンズＬｎの焦点距離が短くなり屈折力が強くなると、倍率色収差を良好に補正することが困難となるため好ましくない。条件式（４）の上限値を上回って、負レンズＬｎの焦点距離が長くなり屈折力が弱くなると、コンバーターレンズＲＣＬが大型化するため好ましくない。
【００３４】
条件式（５）はコンバーターレンズＲＣＬに含まれる全ての負レンズの材料の屈折率に関し、条件式を満たすことによって像面湾曲と色収差をバランス良く補正することができる。条件式（５）の下限値を下回ると、コンバーターレンズＲＣＬ中の各負レンズの屈折率が小さくなってペッツバール和が負の方向に大きくなり（ペッツバール和の絶対値が大きくなり）、像面湾曲が悪化するため好ましくない。条件式（５）の上限値を上回ると、材料の選択肢が大きく制限されてしまう。これにより、軸上色収差と倍率色収差をバランスよく補正することが困難になるため好ましくない。
【００３５】
条件式（６）は各レンズの焦点距離と材料のアッベ数との積の和を規定したものであり、条件式（６）を満たすことによって色収差をより補正することができる。条件式（６）の上限値を上回ると、色収差の補正が困難になり好ましくない。
【００３６】
条件式（７）は負レンズＬｎの位置に関し、この条件式を満たすことにより軸上色収差と倍率色収差をバランスよく補正することができる。条件式（７）の下限値を下回って負レンズＬｎが物体側に配置されると、軸上色収差が過補正になり且つ倍率色収差が補正不足となるため好ましくない。条件式（７）の上限値を上回って負レンズＬｎを像側に配置することは、物理的に困難である。
【００３７】
なお、条件式（３）〜（７）の数値範囲を以下のようにすることが好ましい。
０．０２０＜θｇＦ−０．６４３８＋０．００１６８２×νｄ＜０．０３８
・・・（３ａ）
０．２７＜ｆｎ／ｆ＜０．８５                ・・・（４ａ）
１．８３＜Ｎｄ＿ａｖｅ＜１．９７            ・・・（５ａ）
【００３８】
【数２】
2020201295.tif 000004
【００３９】
０．５２＜Ｄｎ／ＴＬ＜０．９６              ・・・（７ａ）
【００４０】
条件式（３）〜（１１）の数値範囲を以下のようにすることがさらに好ましい。
０．０２２＜θｇＦ−０．６４３８＋０．００１６８２×νｄ＜０．０３６
・・・（３ｂ）
０．２８＜ｆｎ／ｆ＜０．７５                ・・・（４ｂ）
１．８５＜Ｎｄ＿ａｖｅ＜１．９５            ・・・（５ｂ）
【００４１】
【数３】
2020201295.tif 000005
【００４２】
０．５４＜Ｄｎ／ＴＬ＜０．９５              ・・・（７ｂ）
【００４３】
上記条件式の少なくとも１つを満たすことで、コンバーターレンズＲＣＬを小型に構成しつつ、像面湾曲や色収差等の諸収差を良好に補正することによって高い光学性能を得ることができる。
【００４４】
次に、コンバーターレンズＲＣＬの好ましい構成について説明する。
【００４５】
コンバーターレンズＲＣＬは、最も物体側に配置された、正レンズと負レンズからなる接合レンズＬａを有することが好ましい。軸上光束の周辺光線が高い位置に接合レンズＬａを配置することで、軸上色収差を良好に補正することができる。
【００４６】
さらに、コンバーターレンズＲＣＬが複数の正レンズと複数の負レンズからなり、これらの正レンズと負レンズとが光軸上で交互に配置されていることが好ましい。これにより、物体側から像側に向かって、軸上色収差および倍率色収差を補正しながら光束を収斂することができる。
【００４７】
コンバーターレンズＲＣＬは、最も像側に配置された、正の屈折力を有するレンズ要素Ｌｐを有することが好ましい。これにより、軸外光束の主光線が高い位置にレンズ要素Ｌｐが配置されることにより、像面湾曲を補正することができる。最も像側に配置されたレンズ要素とは、最も像側に配置されたレンズまたは該レンズが接合レンズの一部である場合は該レンズを含む接合レンズを意味する。
【００４８】
次に、実施例のマスターレンズＭＬと、実施例のコンバーターレンズＲＣＬについて説明する。
【００４９】
［マスターレンズ］
本明細書において、マスターレンズＭＬの構成は、コンバーターレンズＲＣＬの実施例１〜３に共通している。
【００５０】
図１は無限遠物体に合焦時のマスターレンズＭＬの断面図である。マスターレンズＭＬは、Ｆナンバー２．９０、半画角は３．１６度、バックフォーカスは４４ｍｍである。なお、実施例に挙げたマスターレンズＭＬの構成は一例であり、像面ＩＰに結像可能な光学系であればその他の光学系であっても構わない。
【００５１】
［コンバーターレンズ］
次に実施例１〜３のコンバーターレンズＲＣＬについて説明する。
【００５２】
［実施例１］
図２は実施例１のコンバーターレンズＲＣＬの断面図である。
【００５３】
図３は実施例１のコンバーターレンズＲＣＬをマスターレンズＭＬの像側に配置したときの無限遠物体に合焦時の収差図である。
【００５４】
実施例１のコンバーターレンズＲＣＬにおいて、負レンズＬｎは最も像側に配置されたレンズである。さらに、コンバーターレンズＲＣＬは、最も物体側に配置された、負レンズと該負レンズの像側に配置された正レンズとからなる接合レンズＬａを有する。また、コンバーターレンズＲＣＬは、３枚の正レンズと４枚の負レンズとからなり、物体側から像側へ向かって負レンズと正レンズが交互に配置された構成を有する。レンズ要素Ｌｐは負レンズＬｎと該負レンズの物体側に隣接して配置された正レンズからなる。
【００５５】
［実施例２］
図４は実施例２のコンバーターレンズＲＣＬの断面図である。
【００５６】
図５は実施例２のコンバーターレンズＲＣＬをマスターレンズＭＬの像側に配置したときの無限遠物体に合焦時の収差図である。
【００５７】
実施例２のコンバーターレンズＲＣＬにおいて、負レンズＬｎは物体側から像側に向かって数えて５番目に配置されたレンズである。さらに、コンバーターレンズＲＣＬは、最も物体側に配置された、負レンズと該負レンズの像側に配置された正レンズとからなる接合レンズＬａを有する。また、コンバーターレンズＲＣＬは、４枚の正レンズと５枚の負レンズとからなり、物体側から像側へ向かって負レンズと正レンズが交互に配置された構成を有する。レンズ要素Ｌｐは最も像側に配置された負レンズと該負レンズの物体側に隣接して配置された正レンズからなる。
【００５８】
［実施例３］
図６は実施例３のコンバーターレンズＲＣＬの断面図である。
【００５９】
図７は実施例３のコンバーターレンズＲＣＬをマスターレンズＭＬの像側に配置したときの無限遠物体に合焦時の収差図である。
【００６０】
実施例３のコンバーターレンズＲＣＬにおいて、負レンズＬｎは最も像側から物体側に向かって数えて２番目に配置されたレンズである。さらに、コンバーターレンズＲＣＬは、最も物体側に配置された、負レンズと該負レンズの像側に配置された正レンズとからなる接合レンズＬａを有する。また、コンバーターレンズＲＣＬは、４枚の正レンズと５枚の負レンズとからなり、物体から像側へ向かって負レンズと正レンズが交互に配置された構成を有する。レンズ要素Ｌｐは最も像側に配置された１枚の正レンズからなる。
【００６１】
上記実施例１〜３のいずれも、前述の条件式（１）〜（７）を満たすことにより、コンバーターレンズＲＣＬを小型に構成しつつ高い光学性能を実現している。
【００６２】
［数値実施例］
前述のマスターレンズＭＬの数値実施例と、実施例１〜３のコンバーターレンズＲＣＬのそれぞれに対応する数値実施例１〜３を示す。
【００６３】
また、各数値実施例において、面番号は、物体側からの光学面の順序を示す。ｒは光学面の曲率半径（ｍｍ）、面番号ｉにおけるｄは、第ｉ番目の光学面と第ｉ＋１番目の光学面の間隔（ｍｍ）、ｎｄはｄ線における光学部材の材料の屈折率、νｄはｄ線を基準とした光学部材の材料のアッベ数である。アッベ数の定義は前述と同様、
νｄ＝（Ｎｄ−１）／（ＮＦ−ＮＣ）
である。
【００６４】
ＢＦはバックフォーカスを示す。すなわちマスターレンズＭＬの第３０面から近軸像面までの光軸上の距離を空気換算長により表記したものである。
【００６５】
マスターレンズＭＬの数値実施例におけるレンズ全長は、マスターレンズＭＬの第１面からマスターレンズＭＬの第３０面までの光軸上の距離にバックフォーカスを加えた長さである。
【００６６】
マスターレンズＭＬとコンバーターレンズＲＣＬのレンズ間隔は、マスターレンズＭＬの第２９面からコンバーターレンズＲＣＬの第１面までの光軸上の距離を空気換算長で表した値である。
【００６７】
前側主点位置は最も物体側の面から前側主点までの距離であり、後側主点位置は最も像側の面から後側主点までの距離である。なお、前側主点位置および後側主点位置についての各数値は近軸量であり、符号は物体側から像側の向きを正とする。
【００６８】
さらに、数値実施例１〜３のそれぞれにおける、前述の各条件式に対応する値を［表１］に示す。
【００６９】
［マスターレンズ］−コンバーターレンズの数値実施例１〜３共通−
単位 mm
面データ
面番号       r        d        nd      νd       有効径
1        292.465   15.81   1.48749    70.5      135.24
2       -517.524   29.13                        134.70
3        145.749   21.85   1.43387    95.1      117.84
4       -310.360    0.08                        115.79
5       -309.759    4.30   1.65412    39.7      115.71
6        260.211   26.17                        109.68
7         90.793   15.28   1.43387    95.1       97.33
8        529.656    0.25                         95.31
9         67.742    6.00   1.48749    70.2       84.64
10         52.993   29.99                         76.66
11        807.025    6.60   1.80810    22.8       67.30
12       -149.923    3.20   1.83400    37.2       66.45
13        132.030   81.82                         62.43
14(絞り)    ∞       3.43                         40.06
15        365.029    6.38   1.65160    58.5       38.93
16        -64.603    2.18   1.84666    23.8       38.29
17       -140.611    4.43                         37.82
18         88.023    4.87   1.84666    23.8       36.27
19       -141.829    1.70   1.69680    55.5       35.85
20         40.372    5.33                         34.07
21       -141.777    1.70   1.83481    42.7       34.17
22         95.226    3.39                         35.10
23         99.547    5.56   1.80400    46.6       37.87
24       -250.416   10.03                         38.52
25         59.528    7.72   1.74951    35.3       42.44
26       -105.426    2.00   1.80810    22.8       42.14
27        107.015    4.26                         41.17
28          ∞       2.20   1.51633    64.1       41.24
29          ∞      22.09                         41.28
30     ∞（取付面）44.00                         39.00
像面        ∞
各種データ
焦点距離     392.18
Ｆナンバー     2.90
半画角（度）   3.16
像高          21.64
レンズ全長   371.77
ＢＦ          44.00
【００７０】
［コンバーターレンズ］
［数値実施例１］
単位 mm
面データ
面番号       r        d        nd      νd     θgF   有効径
取付面      ∞    -0.99(d0)                              -
1      -4057.992    1.30   1.95375    32.3   0.5898   28.58
2         86.537    4.22   1.67270    32.1   0.5988   28.66
3        -68.909    6.79                              28.81
4        -63.746    1.30   1.72916    54.7   0.5444   27.93
5         31.820    8.17   1.59551    39.2   0.5803   28.65
6        -44.308    1.50   1.72916    54.7   0.5444   29.14
7         74.946    0.20                              30.52
8         43.882    7.24   1.63980    34.5   0.5922   31.85
9        -56.710    2.00   2.31235    17.0   0.6502   32.09
10       -142.210      -                               32.95
各種データ
焦点距離    -106.28
倍率           1.40
d0            -0.99
前側主点位置  14.54
後側主点位置  -8.00
※取付面は除く
単レンズデータ
レンズ  始面  焦点距離
1       1    -88.82
2       2     57.66
3       4    -28.94
4       5     32.40
5       6    -37.99
6       8     39.78
7       9    -72.84
【００７１】
マスターレンズと数値実施例１のコンバーターレンズの間隔  21.10
【００７２】
［数値実施例２］
単位 mm
面データ
面番号       r        d        nd      νd     θgF   有効径
取付面      ∞     2.22(d0)                            22.31
1         64.461    1.00   1.83481    42.7   0.5648   22.27
2         15.828    8.70   1.56732    42.8   0.5731   21.56
3        -43.333    1.57                              21.92
4        -56.804    1.00   1.77250    49.6   0.5520   21.71
5         21.046    4.94   1.75520    27.5   0.6103   22.28
6        487.651    8.87                              22.51
7        -91.733    1.20   2.27615    18.2   0.6438   24.49
8         66.782    8.95   1.73800    32.3   0.5899   25.34
9        -20.173    0.19                              26.63
10        -23.408    1.20   1.59282    68.6   0.5446   26.06
11         50.417    0.20                              27.69
12         36.827    7.80   1.51742    52.4   0.5564   28.60
13        -39.781    1.40   1.83481    42.7   0.5648   28.96
14       -172.821      -                               29.89
各種データ
焦点距離     -57.78
倍率           2.00
d0             2.22
前側主点位置  12.89
後側主点位置 -19.76
※取付面は除く
単レンズデータ
レンズ  始面  焦点距離
1       1    -25.37
2       3     21.58
3       5    -19.77
4       6     28.99
5       8    -30.16
6       9     21.95
7      11    -26.80
8      13     38.29
9      14    -62.20
【００７３】
マスターレンズと数値実施例２のコンバーターレンズの間隔  24.31
【００７４】
［数値実施例３］
単位 mm
面データ
面番号       r        d      nd        νd     θgF   有効径
取付面      ∞     1.56(d0)                            22.72
1         50.736    1.10   1.83481    42.7   0.5642   22.65
2         16.014    8.13   1.61340    44.3   0.5633   21.75
3        -52.516    0.23                              21.73
4       -149.421    1.10   1.72916    54.7   0.5444   21.46
5         14.527   10.98   1.61293    37.0   0.5862   20.88
6        -20.821    1.20   1.72916    54.7   0.5444   21.03
7         27.668    0.56                              21.76
8         26.365    3.80   1.60342    38.0   0.5835   22.68
9        188.945    3.16                              22.92
10        -26.584    1.20   2.24680    19.8   0.6345   22.98
11       -101.243    4.51                              24.99
12        -97.025    9.00   1.56732    42.8   0.5731   30.31
13        -20.932     -                                32.50
各種データ
焦点距離    -100.42
倍率           2.00
d0             1.56
前側主点位置  -7.77
後側主点位置 -55.39
※取付面は除く
単レンズデータ
レンズ  始面  焦点距離
1       1    -28.44
2       3     20.95
3       5    -18.11
4       6     15.83
5       7    -16.13
6       9     50.34
7      11    -29.17
8      13     45.11
【００７５】
マスターレンズと数値実施例３のコンバーターレンズの間隔  23.65
【００７６】
【表１】
2020201295.tif 000006
【００７７】
［撮像装置の実施例］
図８は、撮像装置（デジタルカメラ）１０の構成を示す図である。図８（ａ）は斜視図であり、図８（ｂ）は側面図である。撮像装置１０は、カメラ本体１３と、マスターレンズＭＬと、上述した実施例１乃至３のいずれかと同様であるコンバーターレンズＲＣＬと、マスターレンズＭＬおよびコンバーターレンズＲＣＬとによって形成される像を光電変換する受光素子（撮像素子）１２を備える。受光素子１２としては、ＣＣＤセンサやＣＭＯＳセンサ等の撮像素子を用いることができる。マスターレンズＭＬおよびコンバーターレンズＲＣＬは、カメラ本体１３に対して一体に構成されていても良いし、それぞれがカメラ本体１３に対して着脱可能に構成されていても良い。
【００７８】
マスターレンズＭＬとコンバーターレンズＲＣＬがカメラ本体１３と一体に構成されている場合、コンバーターレンズＲＣＬは光軸上に挿脱可能に構成される。
【００７９】
［交換レンズの実施例］
本発明は、マスターレンズＭＬとコンバーターレンズＲＣＬが同一の鏡筒内に構成され、撮像装置に対して着脱可能な交換レンズにも適用されうる。当該マスターレンズＭＬは、単焦点レンズでもよいしズームレンズでもよい。この場合、コンバーターレンズＲＣＬは光軸上に挿脱可能に構成される。操作部材やユーザインターフェースを介してユーザから指示されることに応じて、コンバーターレンズＲＣＬが光軸上または光軸外に配置される。
【００８０】
以上、本発明の好ましい実施例について説明したが、本発明はこれらの実施形態及び実施例に限定されず、その要旨の範囲内で種々の組合せ、変形及び変更が可能である。
【符号の説明】
【００８１】
ＲＣＬ  コンバーターレンズ
ＭＬ  マスターレンズ
Ｌｎ  負レンズ
【図１】
2020201295.tif 000008
【図２】
2020201295.tif 000009
【図３】
2020201295.tif 000010
【図４】
2020201295.tif 000011
【図５】
2020201295.tif 000012
【図６】
2020201295.tif 000013
【図７】
2020201295.tif 000014
【図８】
2020201295.tif 000015